(57)【要約】【課題】換気性能を必要とするドアを経済的に製造するのに好適なドア用換気ダクトユニットを提供する。【解決手段】ダクトユニット３０は、表板３３と裏板３４とその両側辺に配置された側板３１と、を備えており、クランク状の通気路３５を有している。表板３３及び/又は裏板３４と、前記側板３１とが嵌合組立式とされており、ユニット３０全体の高さ及び/又は厚さが可変となっている。【選択図】図５
2008248489.tif 000002
【特許請求の範囲】
【請求項１】
表板と、裏板と、該表板及び裏板の両側辺に配置された側板と、を備え、
表板側と裏板側とを繋ぐクランク状の通気路を有するドア用換気ダクトユニットであって、
前記表板及び/又は裏板と、前記側板とが嵌合組立式とされており、
ユニット全体の高さ及び/又は厚さが可変であることを特徴とするドア用換気ダクトユニット。
【請求項２】
前記表板の上端側、及び、前記裏板の下端側が、厚さ方向に曲げられており、
前記表板の上端と前記裏板の上端との間に、前記通気路の出入口の一方が形成されており、
前記表板の下端と前記裏板の下端との間に、前記通気路の出入口の他方が形成されていることを特徴する、請求項１に記載のドア用換気ダクトユニット。
【請求項３】
前記表板及び前記裏板の両側にはフランジ部が形成されており、
前記側板がＨ型断面の部材であって、
前記表板及び裏板の各フランジ部が、前記側板のＨ型断面の各溝内に嵌合することを特徴とする、請求項１又は２に記載のドア用換気ダクトユニット。
【請求項４】
前記側板のＨ型断面の各溝内と、前記表板及び前記裏体の各フランジ部とのそれぞれに嵌合凹凸部が設けられていることを特徴とする、請求項３に記載のドア用換気ダクトユニット。
【請求項５】
前記通気路内に、断面が流線型の隆起部が形成されていることを特徴とする、請求項１〜４のいずれか１項に記載のドア用換気ダクトユニット。
【請求項６】
前記通気路内に、空気が通過する多数の通気孔が形成された、消音機能を有するハニカム構造体が設けられていることを特徴とする請求項１〜５のいずれか１項に記載のドア用換気ダクトユニット。
【発明の詳細な説明】
【技術分野】
【０００１】
本発明は、住宅等のドアに組み込んで用いるドア用換気ダクトユニットに関する。特には、換気性能を必要とするドアを経済的に製造するのに好適なドア用換気ダクトユニットに関する。
【背景技術】
【０００２】
近年、住宅の内装仕上げに使用される塗料や接着剤に含まれるホルムアルデヒド等に起因するシックハウスの問題が深刻化している。この問題に対応するために、２００３年７月には建築基準法が改正され、ドアの閉時においても一定の通気性を確保することが求められるようになった。
【０００３】
ドアの閉時における通気性を確保するためには、ドアに通気用の開口部を設けるなどの対策が考えられるが、単に開口部を設けただけでは遮音性が低下してしまう。
これを解決するために、特許文献１には、ドアの片面の上寄りの位置に開口部を形成すると共に、反対の面の下寄りの位置に他の開口部を形成し、これらの開口部同士をドアの内部で縦方向に延びる通路で繋いで、クランク状の通気路を構成した例が示されている。
【特許文献１】特開平１０−１８７２６号公報
【発明の開示】
【発明が解決しようとする課題】
【０００４】
特許文献１の構成によれば、通気路がクランク状になっているので通気路の十分な長さが確保され、通気性を維持しつつ遮音性を高めることができる。しかしながら、この構成では、ドア内にクランク状の通気路を作り込む必要があるので、製造に手間がかかり、製造コストを下げるのにも不利である。
本発明はこのような課題に鑑みてなされたものであって、その目的は、換気性能を必要とするドアを経済的に製造するのに好適なドア用換気ダクトユニットを提供することにある。
【課題を解決するための手段】
【０００５】
上記目的を実現するための本発明のドア用換気ダクトユニットは、
表板と、裏板と、該表板及び裏板の両側辺に配置された側板と、を備え、
表板側と裏板側とを繋ぐクランク状の通気路を有するドア用換気ダクトユニットであって、
前記表板及び/又は裏板と、前記側板とが嵌合組立式とされており、
ユニット全体の高さ及び/又は厚さが可変であることを特徴とする。
【０００６】
本発明によれば、従来、ドアの内部に作り込む必要があった通気路がユニットとして提供されるので、ドアの製造時には、このユニットをそのまま組み込むだけでドアに通気路を具備させることができる。つまり、従来のようにドアに通気路を作り込む必要がないので、ドアの製造の手間を少なくすることができる。また、このようなユニットは様々な種類のドアに共通部品として使用することができる。さらに、表板及び/又は裏板と前記側板とが嵌合組立式でユニット全体のサイズが可変となっているので、サイズ等が異なる様々なドアに本ユニットを適合させて取り付けることができる。
【０００７】
本発明のドア用換気ダクトユニットの具体的な一形態としては、前記表板の上端側、及び、前記裏板の下端側が、厚さ方向に曲げられていると共に、前記表板の上端と前記裏板の上端との間に、前記通気路の出入口の一方が形成され、前記表板の下端と前記裏板の下端との間に、前記通気路の出入口の他方が形成されているものとすることができる。
【０００８】
このような構成によれば、表板の上端側の曲げられた部分、及び、裏板の下端側の曲げられた部分が、ユニット（箱）の天面及び底面としての役割を果たすので、天面及び底面を構成する２枚の板材を省略することができる。また、このように表板及び裏板の上下端側を曲げた場合、内側の通気路（出入口付近）が湾曲することとなる。したがって、通気路の出入口付近での空気の圧力損失を低減させて通気効率を向上させることができる。
【０００９】
本発明のドア用換気ダクトユニットの具体的な一形態としては、前記表板及び前記裏板の両側にフランジ部が形成されており、前記側板がＨ型断面の部材であって、前記表板及び裏板の各フランジ部が、前記側板のＨ型断面の各溝内に嵌合するものとすることもできる。この場合、さらに、前記側板のＨ型断面の各溝内と、前記表板及び前記裏体の各フランジ部と、のそれぞれに嵌合凹凸部が設けられていてもよい。
【００１０】
本発明のドア用換気ダクトユニットは、また、前記通気路内に、断面が流線型の隆起部が形成されていてよいし、空気が通過する多数の通気孔が形成された、消音機能を有するハニカム構造体が配置されていてもよい。これにより、本発明のダクトユニットにさらなる付加価値（通気性や遮音性の向上）を付与することができる。
【発明の効果】
【００１１】
上述したように、本発明によれば、換気性能を必要とするドアを経済的に製造するのに好適なドア用換気ダクトユニットを提供することができる。
【発明を実施するための形態】
【００１２】
以下、本発明の実施の形態について、図面を参照しながら詳細に説明する。
図１は、本発明の一形態に係るダクトユニット３０を有する遮音通気ドア１の正面図である。図２は、図１のドアの通気路３５（詳細下記）の周辺を拡大して示す破断斜視図であり、通気路３５の構造が分かりやすいように端部を縦方向に切断して示している。図３は、図１のＡ−Ａ切断線における縦断面図である。図４は、本実施形態のダクトユニット３０のみの外観斜視図である。なお、図２では、付加的な要素として、通気路３５内にハニカム構造体４６（詳細後述）を配置した例を示し、図３では整流部４７（詳細後述）を設けた例を示している。
【００１３】
図１に示す遮音通気ドア１はトイレ用のドア（一例）であり、ドアの上側に、通気路３５を有するダクトユニット３０が組み込まれている。
ダクトユニット３０は、図４に示すように、全体としてやや平たい箱状であり、手前側の表板３３と、それに対向配置された奥側の裏板３４と、両板３３、３４の両側に配置された側板３１と、を備えている。これらの４枚の板に囲まれた内側にクランク状の通気路３５が形成されている。
【００１４】
図３、図４に示すように、表板３３及び裏板３４はほぼ同じ形をしており、上下にやや位置をずらして配置されている。表板３３の上端側（この例では、部材の上側およそ１/４程の領域を占める）は、裏板３４側に向けてなだらかに曲げられている。同様に、裏板３４の下端側（部材の下側およそ１/４程の領域を占める）は、表板３３側に向けてなだらかに曲げられている。
【００１５】
図３に分かりやすく示すように、表板３３の上端３３ａ（曲げられた側の端部）と及び裏板３４の上端３４ａが、通気路３５の上側の開口部３５ａの上縁及び下縁を縁どっている。また、表板３３の下端３３ｂ及び裏板３４の下端３４ｂが、通気路３５の下側の開口部３５ｂの上縁及び下縁を縁どっている。両開口部３５ａ、３５ｂの両側縁は、図４に示す通り、左右の側板３１が縁どっている。
【００１６】
このダクトユニット３０のより具体的な構成を説明する前に、このユニット３０がどのような形態でドア１内に組み込まれているかについて図３を参照して説明する。
図３に示すように、ダクトユニット３０の表板３３はドア１の面材２（表面材）の内面に接着固定されている。裏板３４はドア１の裏側の面材３（裏面材）の内面に接着固定されている。ダクトユニット３０の上側の開口部３５ａは面材３に開口し、下側の開口部３５ｂは面材２に開口している。各面材２、３には、ダクトユニット３０の開口部３５ａ、３５ｂをそれぞれ縁取る口枠４８が取り付けられている。特に限定されるものではないが、ダクトユニット３０の上下には、横方向に延びる桟５、６が配置されている。
【００１７】
このように構成されたドア１によれば、ドアの閉時においても、ダクトユニット３０の通気路３５を通じて換気をすることができ、かつ、通気路３５がクランク状とされて長さが確保されているので遮音性も確保される。
なお、図２に例示した通気路３５内のハニカム構造体４６及び図３に例示した整流部４７については後で述べる。
【００１８】
次に、ダクトユニット３０のより具体的な構成について図４〜図７を参照して説明する。
図５は、ダクトユニット３０の表板３３単体を示す斜視図である。図６は、表板３３及び裏板３４を側板３１に嵌合させた状態を示す一部断面斜視図である。図７は、ダクトユニット３０の全体のサイズが調整される様子を示す斜視図である。
なお、表板３３と裏板３４とは実質的に同じ形状なので、表板３３についてのみ説明する。
【００１９】
図５に示すように、表板３３はその上端側が厚さ方向になだらかに曲げられている。表板３３の両側縁には、同板から略垂直に立ち上がったフランジ部３６ｆが形成されている。フランジ部３６ｆはほぼ一定の幅Ｌ36を有している。
フランジ部３６ｆの下側およそ半分の領域には、断面が山形の突部が所定ピッチで縦方向に多数並んだ嵌合凹凸部３６ｅが形成されている。図５では、フランジ部３６ｆの外面のみに嵌合凹凸部３６ｅが形成されているが、両面に形成してもよい。
【００２０】
次に、側板３１について説明する。
側板３１は、図６に示すように略Ｈ型の断面形状を有しており、一方の端面から掘り込まれた溝３１ｄと、他方の端面から掘り込まれた溝３１ｄを有している。各溝３１ｄの内面には、上記したフランジ部の嵌合凹凸部３６ｅと嵌合する嵌合凹凸部が形成されている。表板３３又は裏板３４の側板３１に対する取付け位置（上下方向、図６参照）は、嵌合凹凸部同士が嵌り合う限り任意に調整することができる。また、溝３１ｄ内へのフランジ部３６ｆの差込み量を変更すれば、ユニット全体の厚さを調整することもできる。
つまり、本実施形態のダクトユニット３０では、ユニットの上下のサイズ及び厚さをある程度任意に調整できるようになっている。
【００２１】
図７（Ａ）は、ダクトユニット３０の上下のサイズを小さくした例を示している。この状態から図７（Ｂ）に示すように、例えば、上板３３を側板３１から一度抜いて上方向にずらして再度側板３１に嵌め直すと共に、同様に下板３４を下方向にずらして側板３１に嵌め直すことで、ユニット全体の上下のサイズを大きくし、通気路３５の上下の開口部３５ａ、３５ｂも大きくすることができる。
【００２２】
なお、図７（Ｂ）のように上板３３をより上側に嵌め直した場合、及び、下板３４をより下側に嵌め直した場合であっても、各フランジ部３４ｆは板３３、３４の曲げられた部分にも形成されているので、側板３１の上下の溝３１ｄから抜けず、ユニットの側面部に隙間が生じることはない。したがって、通気路３５の密閉性が損なわれることもない。
【００２３】
以上説明したように、本実施形態のドア用換気ダクトユニット３０によれば、従来、ドアの内部に作り込む必要があった通気路が、ユニット３０に設けられているので、ドアの製造時には、このユニット３０をそのまま組み込むだけでドア１に通気路３５をもたせることができるので、製造の手間を少なくすることができ、ドアの製造コストを下げるのにも有利である。さらに、本実施形態の構成によれば、表板３３及び/又は裏板３４と側板３１とが嵌合組立式で、ユニット３０全体のサイズが可変となっているので、サイズ等が異なる様々なドアに本ユニットを適合させて取り付けることができ、さらには、必要通気面積の調整対応も可能となる。
【００２４】
（他の実施形態）
図２に示したように、ダクトユニット３０の通気路内にはハニカム構造体４６が配置されていてもよい。ここで、ハニカム構造体４６とは、空気が通過する多数の通気孔を有したアルミコルゲートコア（一例）である。各通気孔の開口面積は２〜１０ｍｍ２程度である。このようなハニカム構造体４６を配置することにより、音が、通気路３５内の内部通路からアルミルゲートコアの狭い通気孔を通り、再び広い内部通路へと伝わることとなるので、通路面積の急激な変化により、音を減衰させることができる。
【００２５】
図３に示したように、ダクトユニット３０の通気路内には渦の発生を抑制する整流部４７を設けてもよい。この例の整流部４７は、通気路３５内の下側の開口部３５ｂ付近に設けられた、断面が流線型（なだらかにカーブした丘状）の隆起部である。このような隆起部３５が形成されている場合、下側の開口部３５ｂから上側の開口部３５ａへと向かう流れの剥離が防止されて渦の発生が抑えられ、圧力損失が少なくなるので、空気の通気効率を向上させることができる。また、通気路を狭めたことにより遮音性も向上させることができる。
【００２６】
さらに、次のような改変を加えることもできる。
（１）ダクトユニット３０の外面に発泡クッション材等を貼り付け、該クッション材を介してドアの面材にユニット３０を取り付けることでドアの面材の固定音（振動）をユニットに伝わりにくくできる。
（２）表板３３及び/又は裏板３４の内面に、断面形状が略波型となるような凹凸部を設けることで、通気とは逆の進行方向の音の空気伝播の妨げとして、消音効果を向上させることができる。
（３）ダクトユニット３０を幾つか（例えば２、３個）のダクトユニットの集合体とすることで、様々なサイズのドア１に適合できるようにすると共に通気性能を適宜調整できるようにする。
【図面の簡単な説明】
【００２７】
【図１】本発明の一形態に係るダクトユニットを有する遮音通気ドアの正面図である。
【図２】図１のドアの通気路の周辺を拡大して示す破断斜視図であり、通気路の構造が分かりやすいように端部を縦方向に切断して示している。
【図３】図１のＡ−Ａ切断線における縦断面図である。
【図４】本実施形態のダクトユニットのみの外観斜視図である。
【図５】ダクトユニットの表板単体を示す斜視図である。
【図６】表板及び裏板を側板に嵌合させた状態を示す一部断面斜視図である。
【図７】ダクトユニットの全体のサイズが調整される様子を示す斜視図である。
【符号の説明】
【００２８】
１・・・遮音通気ドア、２、３・・・面板、５、６・・・桟
３０・・・ダクトユニット、３１・・・側板、３１ｄ・・・溝、３３・・・表板、３４・・・裏板、３６ｅ・・・嵌合凹凸部、３６ｆ・・・フランジ部
３５・・・通気路、３５ａ、３５ｂ・・・開口部、４６・・・ハニカム構造体、４７・・・整流部、４８・・・口枠
【図１】
2008248489.tif 000003
【図２】
2008248489.tif 000004
【図３】
2008248489.tif 000005
【図４】
2008248489.tif 000006
【図５】
2008248489.tif 000007
【図６】
2008248489.tif 000008
【図７】
2008248489.tif 000009